(57)【要約】      （修正有）【課題】缶蓋の開封時に手が切り口に触れて怪我をする事故を防止するために缶蓋に覆って使用する缶安全カバーを提供する。【解決手段】缶安全カバー１０は、缶蓋の表面を覆う平板の蓋部１１と、蓋部の縁に沿って軸方向に突設され、缶蓋の縁に沿って軸方向に設けられる突出リム部に嵌合される突出溝部１２と、蓋部に設けられ、缶蓋の表面に取り付けられるタブを外部に露出させる開口１３とを有する。缶安全カバーを缶蓋に覆った状態でタブを操作して缶蓋を開封することができ、この過程で使用者の手が切り離された缶蓋の縁部または缶本体の切り口に直接接触することを遮断することにより、事故の発生を防止することができる。【選択図】図２
0003209120.tif 000002
【実用新案登録請求の範囲】
【請求項１】
内側に内容物を取り囲むように所定の断面をもって軸方向に延設される側壁の前記軸方向の一端部の縁に沿って突出リム部が設けられ、前記突出リム部の内側には前記内容物を軸方向に覆う缶蓋が延設され、前記缶蓋の表面には前記缶蓋を切り離して除去するためのタブが取り付けられてなる缶に適用される缶安全カバーであって、
前記缶蓋の表面を覆う平板の蓋部と、前記蓋部の縁に沿って軸方向に突設され、前記突出リム部に嵌合される突出溝部と、前記蓋部に設けられ、前記タブを外部に露出させる開口とを有する、缶安全カバー。
【請求項２】
前記缶安全カバーは薄膜の合成樹脂からなることを特徴とする、請求項１に記載の缶安全カバー。
【請求項３】
前記突出溝部は、前記嵌合された突出リム部に半径方向に密着することにより、前記突出リム部から取り外されることを防止するための屈曲端部が形成されたことを特徴とする、請求項１に記載の缶安全カバー。
【請求項４】
前記蓋部は、前記突出溝部の内側縁に沿って一定の幅で形成され、前記幅方向に内側には前記開口をなすことを特徴とする、請求項１に記載の缶安全カバー。
【考案の詳細な説明】
【技術分野】
【０００１】
本考案は、缶蓋の開封時に安全事故を防止するために前記缶蓋に覆って使用する缶安全カバーに関する。
【背景技術】
【０００２】
図１を参照すると、一般に、 缶１から缶蓋２を取り外すには、缶蓋２の表面に取り付けられたタブ３に指をかけ、引っ張って引く抜くことにより、前記缶蓋２を缶１の本体１から切り離す方法を使用したが、この過程で使用者の手４が切り離された缶蓋２の縁部２ａまたは缶１の本体の切り口１ａに接触して怪我をする安全事故が時々発生してきた。
【考案の概要】
【考案が解決しようとする課題】
【０００３】
そこで、本考案の目的は、缶蓋の開封時に発生するおそれのある安全事故を防止するための缶安全カバーを提供することにある。
【課題を解決するための手段】
【０００４】
上記目的を達成するために、本考案は、内側に内容物を取り囲むように所定の断面をもって軸方向に延設される側壁の前記軸方向の一端部の縁に沿って突出リム部が設けられ、前記突出リム部の内側には前記内容物を軸方向に覆う缶蓋が延設され、前記缶蓋の表面には前記缶蓋を切り離して除去するためのタブが取り付けられてなる缶に適用される缶安全カバーであって、前記缶蓋の表面を覆う平板の蓋部と、前記蓋部の縁に沿って軸方向に突設され、前記突出リム部に嵌合される突出溝部と、前記蓋部に設けられ、前記タブを外部に露出させる開口とを有する、缶安全カバーを提供する。
ここで、前記缶安全カバーは、薄膜の合成樹脂からなってもよい。
【０００５】
前記突出溝部は、前記嵌合された突出リム部に半径方向に密着することにより、前記突出リム部から取り外されることを防止するための屈曲端部が形成されてもよい。
前記蓋部は、前記突出溝部の内側縁に沿って一定の幅で形成され、前記幅方向に内側には前記開口をなしてもよい。
【考案の効果】
【０００６】
上述した本考案に係る缶安全カバーによれば、これを缶蓋に覆った状態でタブを操作して前記缶蓋を開封することができ、この過程で使用者の手が切り離された前記缶蓋の縁部または缶本体の切り口に直接接触することを防止することにより、安全事故の発生を防止することができる。
【図面の簡単な説明】
【０００７】
【図１】従来の缶蓋の開封過程を説明するための斜視図である。
【図２】本考案の第１実施例に係る缶安全カバーの平面図および側面断面図である。
【図３】図２の缶安全カバーが缶に適用された使用状態を示す斜視図である。
【図４】図３の缶に適用された缶安全カバーを用いて缶蓋を開封する過程を示す斜視図である。
【図５】本考案の第２実施例に係る缶安全カバーの平面図である。
【図６】図５の缶安全カバーが缶に適用された使用状態を示す斜視図である。
【図７】本考案の第３実施例に係る缶安全カバーの平面図である。
【図８】図７の缶安全カバーが缶に適用された使用状態を示す斜視図である。
【考案を実施するための形態】
【０００８】
本考案の第１実施例に係る缶安全カバー１０は、図２に示すように、円形の平板からなる蓋部１１と、該蓋部１１の縁に沿って垂直の軸方向に突設される突出溝部１２とを有する。
蓋部１１には、後述の如く、タブが外部に露出するように開口１３が形成される。
【０００９】
上述したような缶安全カバー１０はＰＶＣなどの薄膜の合成樹脂材質からなってもよい。この場合、流通過程などで缶安全カバー１０を缶１に覆った状態でも、缶１の上に他の缶１を依然として積層させることができるという利点を持つ。
【００１０】
図３は前記構成の缶安全カバー１０を缶１に覆った状態を示す図である。前記蓋部１１は缶１の缶蓋（図１の２）を覆い、前記突出溝部１２には前記缶蓋２の外側縁に沿って缶１の側壁５の軸方向の一端部をなす突出リム部（図１の６）が嵌合されて収容される。
前記蓋部１１に形成された開口１３を介しては、缶蓋２の表面についたタブ３が外部に露出する。
【００１１】
このとき、突出リム部６を覆う突出溝部１２の外側端部は、図２に示すように、上述のように嵌合される突出リム部６に半径方向に密着する屈曲端部１４を形成することにより、前記嵌合された突出リム部６から取り外されることを防止する。
【００１２】
上述の如く、缶１に適用された缶安全カバー１０を用いて缶蓋２を開封する過程では、図４に示すように、開口１３を介して外部に露出したタブ３を指で引っ張ると、缶蓋２が切り離されるとともに缶安全カバー１０も前記缶蓋２に接触した状態で取り外される。これにより、使用者の手４に接触するものは常に缶安全カバー１０となるようにすることにより、前記の手４が切り離された缶蓋２の縁部（図１の２ａ）または缶１の本体の切り口１ａに直接接触することを遮断させることができる。
【００１３】
本考案の第２実施例に係る缶安全カバー２０は、図５に示すように、蓋部２１が突出溝部２２の内側縁に沿って一定の幅Ｗで形成され、その幅方向に内側にはすべて開口２３をなす。
【００１４】
前記幅Ｗは、図６に示すように、タブ３が外部に露出できる程度のみまで延長でき、少なくとも缶蓋２が切り離される過程で、その切り離された縁部（図１の２ａ）を覆うことにより、使用者の手がこれに直接接触することを遮断させることができなければならない。
【００１５】
前述したような蓋部２１の形状に応じて、本実施例において、前記蓋部２１の内側に該当する開口２３は前記タブ３を含めて缶蓋２の表面のほとんどを外部に露出させる。
【００１６】
本考案の第３実施例に係る缶安全カバー３０の開口３３は、図７に示すように、蓋部３１の中心を横切って対称的に延設された形状をなす。図８は本実施例に係る缶安全カバー３０が缶１に適用された使用状態を示す図である。
【００１７】
一方、上述した缶安全カバー１０、２０、３０は、本考案の理解を助けるための実施例に過ぎないので、本考案の権利範囲ないし技術的範囲が前記説明されたところに限定されるものと理解されては困る。
【００１８】
特に、開口１３、２３、３３の形状は、本考案の権利範囲ないし技術的範囲内で様々に変形させることができ、缶安全カバーの材質も前述したＰＶＣなどの薄膜の合成樹脂材質に限定されるものではなく、ゴム、金属、アルミニウムテープなどの材質が適用できる。
本考案の権利範囲ないし技術的範囲は、後述する特許請求の範囲およびその均等範囲によって定められる。
【図１】
0003209120.tif 000003
【図２】
0003209120.tif 000004
【図３】
0003209120.tif 000005
【図４】
0003209120.tif 000006
【図５】
0003209120.tif 000007
【図６】
0003209120.tif 000008
【図７】
0003209120.tif 000009
【図８】
0003209120.tif 000010